(57)【特許請求の範囲】
【請求項１】
アースドリルに用いるケリーバの上面板と下面板とからなるトップガイドであって、トップガイドの前部ケリーバの支持部にて下面板に取付けた円形のターンテーブル取付板へ固定したターンテーブルに多段伸縮式ケリーバの第1段ケリーバを固定してなるケリーバのトップガイドにおいて、該トップガイドの下面板に形成されたケリーバ挿通用穴の径を、多段伸縮式ケリーバの最終段ケリーバのみが通過できる径とするとともに、該トップガイドの前記上面板及び下面板は前記支持部から夫々一対のアーム部が後方へ伸びて該一対のアーム部先端にリーダのガイドレールへ係合するガイド部が設けられていることを特徴とするケリーバのトップガイド。
【発明の詳細な説明】
【０００１】
【発明の属する技術分野】
この発明は、アースドリルにおいてケリーバの上部を支持するトップガイドに関するものであり、特に、ケリーバ収縮時におけるケリーバの連れ上がりを防止したトップガイドに関するものである。
【０００２】
【従来の技術及び発明が解決しようとする課題】
図5はアースドリル1を示し、ベースマシン2に設けられているリーダ3にテレスコピック型の多段伸縮式ケリーバ4が装着されている。トップガイド5の下面のターンテーブル6に第1段ケリーバ7が取付けられていて、最終段ケリーバ8の上端に吊上げ装置のワイヤロープ9を連結し、ワイヤロープ9を巻上げまたは巻下げてケリーバ4を伸縮する。伸長したケリーバ4を縮める際は、先ず最終段ケリーバ8が上昇し、最終段ケリーバ8の下部に設けたストッパープレート10が直上位ケリーバの下面に当たって押し上げ、以後同様に上位のケリーバを押し上げて第１段ケリーバ内に第２段乃至最終段ケリーバ8が収容される。
【０００３】
以上が正常な収縮行程であるが、泥や塵埃等によって各ケリーバの摺動性が低下している場合は、例えば最終段ケリーバの上昇開始とともに上位ケリーバも一体的に上昇してしまい、トップガイドよりも高く上昇した後に自重により急激に落下して最終段ケリーバのストッパープレートに衝突して衝突部位やワイヤロープなどを損傷することがある。
【０００４】
図6は、上記のような所謂連れ上がりを防止する従来の手段を示し、トップガイド11の中心穴12の内に一対のストッパープレート13を平行に配置している。一対のストッパープレート13の間隔は最終段ケリーバの直径より若干大きく、最終段ケリーバのみが穴12内のストッパープレート13の間を通って上方へ通過することができ、吊上げ時にその他の上位ケリーバはストッパープレート13に当たって上昇を規制され、連れ上がりを防止できる。しかしながら、上記の構成においては部品点数が増加するとともにトップガイド11の穴12内にストッパープレート13を溶接する作業が難しいという欠点がある。また、吊上げられたケリーバが下方からストッパープレート13へ衝突することを繰り返すうちに溶接部位が破損してストッパープレート13が脱落する虞もある。そこで、上述した従来技術の欠点を解消するために解決すべき技術的課題が生じてくるのであり、本発明は上記課題を解決することを目的とする。
【０００５】
【課題を解決するための手段】
この発明は、上記目的を達成するために提案するものであり、アースドリルに用いるケリーバの上面板と下面板とからなるトップガイドであって、トップガイドの前部ケリーバの支持部にて下面板に取付けた円形のターンテーブル取付板へ固定したターンテーブルに多段伸縮式ケリーバの第1段ケリーバを固定してなるケリーバのトップガイドにおいて、該トップガイドの下面板に形成されたケリーバ挿通用穴の径を、多段伸縮式ケリーバの最終段ケリーバのみが通過できる径とするとともに、該トップガイドの前記上面板及び下面板は前記支持部から夫々一対のアーム部が後方へ伸びて該一対のアーム部先端にリーダのガイドレールへ係合するガイド部が設けられていることを特徴とするケリーバのトップガイドを提供するものである。
【０００６】
【発明の実施の形態】
以下、この発明の実施の一形態を図に従って詳述する。図1はトップガイド21を示し、図2はトップガイド21の上面板22、図3はトップガイド21の下面板23である。トップガイド21は、前部のケリーバ支持部24から一対のアーム部25が後方へ伸びていて、アーム部25の先端にリーダのガイドレールへ係合するガイド部26が設けられている。図2に示すように、上面板22の先端部位には穴27が形成されており、図3に示すように、下面板23の先端部位に取付けた円形のターンテーブル取付け板28に、多段伸縮式ケリーバの最終段ケリーバの直径とほぼ等しい直径の穴29が形成されている。
【０００７】
図4はトップガイド21に4段伸縮式ケリーバ31（第1段ケリーバ32、第2段ケリーバ33、第3段ケリーバ34、第4段ケリーバ35）を取付けた状態を示し、ターンテーブル取付け板28へ固定したターンテーブル30に第1段ケリーバ32をボルト締めして固定している。尚、36はリーダ、37は第4段ケリーバの継手に連結したケリースイベルであり、両端部がそれぞれ軸回りに回転自在なケリースイベル37の上端部に吊上げ装置のワイヤロープが接続される。
【０００８】
同図は4段伸縮式ケリーバ31を最も収縮した状態を示しており、この状態からワイヤロープを繰出すと、第2段ケリーバ33、第3段ケリーバ34、第4段ケリーバ35が一体に下降し、第2段ケリーバ33が下降ストロークの終端に達して停止した後に第3段ケリーバ34と第4段ケリーバ35とがさらに下降し、第3段ケリーバ34が下降ストロークの終端で停止した後にさらに第4段ケリーバ35がストローク端まで下降する。
【０００９】
ワイヤロープ巻上げ時には、上記と逆に第4段ケリーバ35から上昇を開始するが、このとき第3段ケリーバ34あるいは第3段ケリーバ34と第2段ケリーバ33が同時に上昇した場合は、第3段ケリーバ34や第2段ケリーバ33の上端部がターンテーブル取付け板28の下面に当たり、上昇を阻止されて停止または第4段ケリーバ35の下部ストッパーに当たるまで落下するが、落下する場合であっても落下距離が短いのでケリーバやワイヤロープに損傷を与えるほどの衝撃は加わらない。
【００１０】
尚、この発明は上記の実施形態に限定するものではなく、この発明の技術的範囲内において種々の改変が可能であり、この発明がそれらの改変されたものに及ぶことは当然である。
【００１１】
【発明の効果】
以上説明したように、本発明のケリーバのトップガイドは、ケリーバ吊り上げ時の連れ上がりを防止するために、トップガイドの前部ケリーバの支持部にて下面板に取付けた円形のターンテーブル取付板へ固定したターンテーブルに多段伸縮式ケリーバの第1段ケリーバを固定してなるケリーバのトップガイドにおいて、該トップガイドの下面板に形成されたケリーバ挿通用穴の直径を、多段伸縮式ケリーバの最終段ケリーバのみが通過できる寸法とするとともに、該トップガイドの前記上面板及び下面板は前記支持部から夫々一対のアーム部が後方へ伸びて該一対のアーム部先端にリーダのガイドレールへ係合するガイド部が設けられているところ、ケリーバ吊上げ時の連れ上がりを防止するために、下面板のケリーバ貫通穴の直径を最終段ケリーバのみが通過できる寸法としているので、径の大きい穴内にストッパープレートを溶接してケリーバの連れ上がりを防止した従来のトップガイドとは異なり、ストッパーやその溶接作業が不要であり、生産性の向上及びコストの削減に効果を奏するとともに、ストッパープレートが脱落する虞もなく耐久性と信頼性が向上する。
更に又、ワイヤロープ巻上げ時、最終段（第４段）ケリーバから上昇し、この時、その上段（第３段等）のケリーバが同時に連れ上がった場合、該上段（第３段等）のケリーバの上端部が上記下面板に取付けた円形のターンテーブル取付板に当り上昇を阻止されて停止または上記最終段（第４段）ケリーバの下部ストッパーに当たるまで落下するが、落下する場合でも、落下距離が短いのでケリーバやワイヤロープに損傷を与えるほどの衝撃は生じないのみならず上記トップガイドの構成により、ケリーバが安定的に該トップガイドに支持される。
【図面の簡単な説明】
【図１】本発明の実施の一形態を示し、トップガイドの側面図。
【図２】トップガイドの上面板の平面図。
【図３】トップガイドの下面板の底面図。
【図４】トップガイドに4段伸縮式ケリーバを装着した状態の側面図。
【図５】リーダ式アースドリルの側面図。
【図６】従来のトップガイドを示し、(a)は側面図、(b)は底面図である。
【符号の説明】
21     トップガイド
22     上面板
23     下面板
24     ケリーバ支持部
25     アーム部
26     ガイド部
28     ターンテーブル取付け板
29     穴
30     ターンテーブル
31     ４段伸縮式ケリーバ
32     第1段ケリーバ
33     第2段ケリーバ
34     第3段ケリーバ
35     第4段ケリーバ
【図１】
0003796571.tif 000002
【図２】
0003796571.tif 000003
【図３】
0003796571.tif 000004
【図４】
0003796571.tif 000005
【図５】
0003796571.tif 000006
【図６】
0003796571.tif 000007